(57)【要約】【課題】路上駐車管理システム及びその実施方法を提供する。【解決手段】本発明に係る路上駐車管理システム及びその実施方法は、主に駐車スペースの両端にパーキングメーターがそれぞれ設置される。常態では、パーキングメーターが駐車スペースの画像情報及び車両情報のキャプチャを継続し、且つ画像情報及び車両情報が管理サーバーに伝送される。車両情報としてフロントナンバープレート情報及びリアナンバープレート情報を含む。管理サーバーは、車両情報に基づいて前記車両の駐車時間の計測を開始する。パーキングメーターは、受動的または能動的に管理サーバーに対して時間計測停止メッセージを送信する。管理サーバーは、駐車料金請求書を生成すると共に、使用者の携帯情報機器に伝送する。携帯情報機器は、駐車料金請求書に基づいて支払い領収書を生成する。支払い領収書がパーキングメーターによりスキャンされた後に、料金の徴収が完了する。【選択図】図５
2020053023.tif 000002
【特許請求の範囲】
【請求項１】
駐車スペースに駐車された車両の駐車時間の監視を行い、前記駐車時間に基づいて電子請求書を生成して料金を徴収する路上駐車管理システムであって、
２つのパーキングメーターと、管理サーバーと、携帯情報機器と、を備え、
前記２つのパーキングメーターは、前記駐車スペースの両端にそれぞれ設置され、処理ユニットをそれぞれ有し、前記処理ユニットにそれぞれデータ接続される、スキャニングユニットと、撮像ユニットと、時間計測停止ボタンと、を更に有し、
前記２つのパーキングメーターの前記撮像ユニットは、異なる視角からの画像情報をそれぞれキャプチャすると共に、前記画像情報から車両情報を分析し、前記スキャニングユニットは、支払い領収書のスキャンを行い、前記時間計測停止ボタンは、トリガされた後に時間計測停止メッセージを生成し、
前記管理サーバーは、各前記パーキングメーターにデータ接続され、前記車両情報に基づいて前記車両の駐車状態を判断し、前記駐車状態において前記駐車時間の計測を開始し、
前記携帯情報機器は、前記管理サーバーにデータ接続され、前記電子請求書に基づいて前記支払い領収書を生成し、
前記時間計測停止メッセージが前記管理サーバーに伝送された後、前記管理サーバーは、前記駐車時間の計測を停止すると共に、前記電子請求書を生成し、且つ前記電子請求書が前記携帯情報機器に伝送された後に、前記支払い領収書が生成され、前記スキャニングユニットが前記支払い領収書のスキャンを行った後、前記電子請求書の支払いが完了することを特徴とする路上駐車管理システム。
【請求項２】
前記スキャニングユニットは、１次元バーコードスキャナーまたは２次元バーコードスキャナーのうちのどちらか１つであることを特徴とする請求項１に記載の路上駐車管理システム。
【請求項３】
前記２つのパーキングメーターは、前記処理ユニットにデータ接続される緊急通報モジュールを更に備えることを特徴とする請求項１または２に記載の路上駐車管理システム。
【請求項４】
前記２つのパーキングメーターは、前記処理ユニットに電気的に接続される充電ユニットを更に備えることを特徴とする請求項１ないし３のいずれかに記載の路上駐車管理システム。
【請求項５】
前記２つのパーキングメーターは、前記処理ユニットにデータ接続される位置決めモジュールを更に備え、
前記位置決めモジュールは、前記２つのパーキングメーターが定位されるための位置情報を提供することを特徴とする請求項１ないし４のいずれかに記載の路上駐車管理システム。
【請求項６】
前記管理サーバーは、前記位置情報に基づいて前記２つのパーキングメーターの徴収料金を設定することを特徴とする請求項５に記載の路上駐車管理システム。
【請求項７】
前記支払い領収書は、２次元バーコードであることを特徴とする請求項１ないし６のいずれかに記載の路上駐車管理システム。
【請求項８】
前記携帯情報機器は、駐車アプリケーションプログラムが実行されることにより、前記時間計測停止メッセージを生成し、且つ前記時間計測停止メッセージを前記管理サーバーに送信することを特徴とする請求項１ないし７のいずれかに記載の路上駐車管理システム。
【請求項９】
前記２つのパーキングメーターは、前記画像情報に基づいて駐車場からの発進動作判定条件を判断し、前記駐車場からの前記発進動作判定条件が満たされた場合、前記２つのパーキングメーターが前記管理サーバーに対して前記時間計測停止メッセージを送信することを特徴とする請求項１ないし８のいずれかに記載の路上駐車管理システム。
【請求項１０】
駐車スペースに駐車された車両の駐車時間の監視を行い、前記駐車時間に基づいて電子請求書を生成して料金を徴収する路上駐車管理方法であって、
２つのパーキングメーターにより異なる視角からの画像情報がキャプチャされる、駐車場画像を監視する工程と、
前記画像情報に対して前記パーキングメーターがナンバープレート識別プロセスを実行して、車両情報を分析し、前記パーキングメーターが前記車両情報を管理サーバーに伝送することにより、前記管理サーバーが前記車両の駐車状態を判断する、駐車動作を判断する工程と、
前記駐車状態において、前記管理サーバーが前記駐車時間の計測を開始する、駐車時間の計測を開始する工程と、
前記パーキングメーターの時間計測停止ボタンがトリガされた後、前記パーキングメーターが前記管理サーバーに対して時間計測停止メッセージを送信し、前記管理サーバーが時間計測動作を停止すると共に、前記駐車時間に基づいて駐車料金を算出し、前記電子請求書を更に生成して、指定された携帯情報機器に伝送する、駐車時間の計測を停止し、駐車料金を決算する工程と、
前記携帯情報機器が前記電子請求書を受信した後、前記電子請求書に基づいて支払い領収書が生成され、前記パーキングメーターが前記支払い領収書をスキャンした後、前記パーキングメーターが前記支払い領収書を前記管理サーバーに伝送し、前記電子請求書の支払い動作が完了する、支払い領収書をスキャンする工程と、を含むことを特徴とする路上駐車管理方法。
【請求項１１】
前記車両情報は、フロントナンバープレート情報及びリアナンバープレート情報を含み、
前記管理サーバーは、前記フロントナンバープレート情報及び前記リアナンバープレート情報に基づいて前記駐車状態または非駐車状態を判断することを特徴とする請求項１０に記載の路上駐車管理方法。
【請求項１２】
前記パーキングメーターが前記支払い領収書のスキャンを行った後、前記管理サーバーが駐車場からの発進時間を設定し、前記駐車場からの前記発進時間が終了すると、前記管理サーバーは、前記車両が前記駐車状態にあると判断し、前記管理サーバーが別の駐車時間を再度計算することを特徴とする請求項１０または１１に記載の路上駐車管理方法。
【請求項１３】
前記携帯情報機器が駐車アプリケーションプログラムを実行すると、前記駐車アプリケーションプログラムにより前記時間計測停止メッセージが生成され、且つ前記時間計測停止メッセージが前記管理サーバーに伝送され、前記管理サーバーが前記駐車時間を停止することを特徴とする請求項１０ないし１２のいずれかに記載の路上駐車管理方法。
【請求項１４】
前記パーキングメーターは、前記画像情報に基づいて駐車場からの発進動作判定条件を判断し、前記駐車場からの前記発進動作判定条件が満たされると、前記パーキングメーターが前記管理サーバーに対して前記時間計測停止メッセージを送信することを特徴とする請求項１０ないし１３のいずれかに記載の路上駐車管理方法。
【発明の詳細な説明】
【技術分野】
【０００１】
本発明は、車両のフロントナンバープレート情報及びリアナンバープレート情報を識別することで、駐車時間の計測開始条件とする路上駐車管理システム及びその実施方法に関する。
【背景技術】
【０００２】
一般的な路上駐車の管理工程は、通常路上の駐車スペースに車両が駐車された後、駐車管理者が料金徴収係を派遣して請求書を発行する。但し、料金徴収係は担当エリア内の車両の駐車状況を絶えず見回らねばならず、且つ車両の駐車時間を確認しなければならない。そのため、このような方法は、非効率的であるのみならず、料金徴収係が請求書の発行漏れをしたり、二重請求を発生させることがある。また、エリアの範囲に大量の人員を投入せねばならず、駐車料金の徴収時にドライバーが料金請求書を持って料金所に行き、支払いを行うため、料金請求書を紛失した場合、ドライバーが困難な状況に陥る。さらには、路上にセルフパーキングメーターを設置する方法では、セルフパーキングメーターはドライバーが自分で駐車料金を精算する必要がある。
【発明の概要】
【発明が解決しようとする課題】
【０００３】
しかしながら、前述した従来の技術では、このような方法ではドライバーが実際の駐車時間を申告するとは限らず、駐車管理者が駐車料金を過少徴収するという問題が発生した。このため、車両の駐車時間を自動的に記録し、料金徴収を便利にする技術手段を提供することが求められている。
【０００４】
そこで、本発明者は上記の欠点が改善可能と考え、鋭意検討を重ねた結果、合理的設計で上記の課題を効果的に改善する本発明の提案に至った。
【０００５】
本発明は、このような従来の問題に鑑みてなされたものである。上記課題解決のため、本発明は、路上駐車時間を自動的に検知計測し、料金徴収作業が電子化された路上駐車管理システム及びその実施方法を提供することを主目的とする。
【課題を解決するための手段】
【０００６】
上記課題を解決するために、本発明のある態様の路上駐車管理システム及びその実施方法は、主に駐車スペースの両端にパーキングメーターがそれぞれ設置され、常態ではパーキングメーターが駐車スペースの画像情報及び車両情報のキャプチャを継続し、且つ画像情報及び車両情報が管理サーバーに伝送され、管理サーバーが前記車両の駐車時間の計測を開始する。また、パーキングメーターの時間計測停止ボタンがトリガされた後に時間計測停止メッセージを送信し、或いは画像情報の変化（駐車スペースを離れる）を検知して、時間計測停止メッセージを能動的に送信する。管理サーバーが時間計測停止メッセージを受信した後に、駐車時間を確定すると共に、駐車料金請求書を生成する。駐車料金請求書が使用者の携帯情報機器に伝送され、携帯情報機器が駐車料金請求書に基づいて支払い領収書を生成する。支払い領収書がパーキングメーターによりスキャンされると、料金徴収が完了する。本発明に係る路上駐車管理システムにより、路上駐車スペースの無人管理が実現する。また、本発明に係るパーキングメーターは、主に画像情報をキャプチャする方式により駐車時間の計測を開始し、他のセンサーにより車両を感知するため、製造コストが削減され、システムの負担が軽減する。
【図面の簡単な説明】
【０００７】
【図１】本発明の一実施形態に係る路上駐車管理システムを示す構成図である。
【図２】本発明のパーキングメーターの構成を示す概略図（一）である。
【図３】本発明のパーキングメーターの構成を示す概略図（二）である。
【図４】本発明の一実施形態を示す概略図（一）である。
【図５】本発明の一実施形態に係る路上駐車管理者法を示す構成図である。
【図６】本発明の一実施形態を示す概略図（二）である。
【図７】本発明の一実施形態を示す概略図（三）である。
【図８】本発明の他の実施形態を示す概略図（一）である。
【図９】本発明のさらなる他の実施形態を示す概略図（二）である。
【図１０】本発明の他の実施形態を示す概略図（三）である。
【図１１】本発明のさらなる他の実施形態を示す概略図（四）である。
【発明を実施するための形態】
【０００８】
以下、本発明の実施の形態について、図面を参照して詳細に説明する。なお、本発明は以下の例に限定されるものではなく、本発明の要旨を逸脱しない範囲で、任意に変更可能であることは言うまでもない。
【０００９】
本発明に係る路上駐車システム１０は、管理サーバー１０１と、第一パーキングメーター１０２と、第二パーキングメーター１０３と、少なくとも１つの携帯情報機器１０４と、を備える。管理サーバー１０１は、各パーキングメーター（１０２、１０３）にデータ接続され、各パーキングメーター（１０２、１０３）の駐車状況の監視に用いられると共に、車両に対応するパーキングメーター（１０２、１０３）が請求すべき駐車料金の計算を行う。パーキングメーター（１０２、１０３）は駐車スペースの周囲に近接して設置され、パーキングメーター（１０２、１０３）は前記駐車スペースの画像情報及び車両情報をキャプチャする。車両情報としてナンバープレート情報を含み、管理サーバー１０１が情報を受信した後に、駐車料金の計算を開始すると共に使用者から駐車料金を徴収する。携帯情報機器１０４には、駐車している使用者が操作するための駐車アプリケーションプログラムがインストールされ、使用者が携帯情報機器１０４を使用して駐車料金を取得した後に支払い領収書が生成される。パーキングメーター（１０２、１０３）に支払い領収書をスキャンさせた後に、駐車料金の徴収が完了する（図１参照）。
【００１０】
図１に示すように、管理サーバー１０１は、処理モジュール１０１１を有し、処理モジュール１０１１にそれぞれデータ接続される、駐車動作判断モジュール１０１２と、時間計測モジュール１０１３と、データベース１０１４と、画像保存モジュール１０１５と、支払いモジュール１０１６と、を更に有する。より詳しくは、
（１）処理モジュール１０１１は、管理サーバー１０１の作動に用いられ、駐車時間に基づいて駐車料金を計算し、且つ駐車料金に基づいて電子請求書を生成する。
（２）駐車動作判断モジュール１０１２は、車両情報を取得した後に、車両が駐車動作にあると判断する。
（３）時間計測モジュール１０１３は、駐車動作判断モジュール１０１２がフロントナンバープレート情報及びリアナンバープレート情報を判断した後に、駐車時間の計測を開始する。
（４）データベース１０１４には、ナンバープレート情報と、駐車記録情報と、決済記録情報と、を含むユーザー情報が保存される。
（５）画像保存モジュール１０１５は、各パーキングメーター１０２がキャプチャした画像情報を保存する。
（６）支払いモジュール１０１６は、使用者が伝送した支払い領収書をキャプチャした後、支払い端末に接続して料金を請求する。
【００１１】
図２及び図３に示すように、パーキングメーター（１０２、１０３）のうちの一面は、料金管理モジュール（１０２１、１０３１）を有する。料金管理モジュール（１０２１、１０３１）は、処理ユニット（１０２２、１０３２）を有し、処理ユニット（１０２２、１０３２）にそれぞれデータ接続される、撮像ユニット（１０２３、１０３３）と、スキャニングユニット（１０２４、１０３４）と、時間計測停止ボタン（１０２５、１０３５）と、ネットワークモジュール（１０２６、１０３６）と、を更に有する。より詳しくは、
（１）処理ユニット（１０２２、１０３２）は、パーキングメーター（１０２、１０３）の作動に用いられると共に、画像情報から車両情報を分析し、車両情報としてフロントナンバープレート情報及びリアナンバープレート情報を含む。
（２）撮像ユニット（１０２３、１０３３）は、常態において駐車スペースの画像のキャプチャを継続すると共に、画像情報を生成する。
（３）スキャニングユニット（１０２４、１０３４）は、支払い領収書のスキャンを行う。これは、１次元バーコードスキャナー、２次元バーコードスキャナー、ＮＦＣリーダー、ＲＦＩＤリーダー、または生体認証スキャナーである。
（４）時間計測停止ボタン（１０２５、１０３５）が押された後に、時間計測停止メッセージが生成され、管理サーバー１０１に伝送された後、管理サーバー１０１が前記駐車スペースの駐車時間の計測を停止すると共に、駐車料金を決算する。
（５）ネットワークモジュール（１０２６、１０３６）は、インターネットに接続され、且つ処理ユニット（１０２２、１０３２）にデータ接続され、パーキングメーター（１０２、１０３）と管理サーバー１０１とのデータ接続が完了した後に、情報が相互に伝送される。
【００１２】
図４に示すように、本発明の実施において、第一パーキングメーター１０２は駐車スペースＰの何れかの一端に設置され、第二パーキングメーター１０３は駐車スペースＰの他の一端に設置される。２つのパーキングメーター（１０２、１０３）の撮像ユニット（１０２３、１０３３）の撮像範囲が駐車スペースＰにそれぞれ対応し、且つ２つのパーキングメーター（１０２、１０３）の撮像ユニット（１０２３、１０３３）が、駐車中の車両のフロントナンバープレート及びリアナンバープレートの位置に対応し、車両のフロントナンバープレート情報及びリアナンバープレート情報をキャプチャする。
【００１３】
以下、本発明の路上駐車管理方法Ｓ１を図５及び図１乃至図３に基づいて詳細に説明する。
（６）駐車場画像を監視するＳ１１。図６に示されるように、駐車スペースＰの両端に設置される２つのパーキングメーター（１０２、１０３）が起動された後、パーキングメーター１０２の処理ユニット１０２２が撮像ユニット１０２３を駆動させ、撮像ユニット１０２３に対応する駐車スペースＰを監視させ、且つ駐車スペースＰの第一視角画像情報をキャプチャさせ、第一視角画像情報を管理サーバー１０１に伝送させ、管理サーバー１０１の画像保存モジュール１０１５に画像情報を保存させる。また、第二パーキングメーター１０３の処理ユニット１０３２も撮像ユニット１０３３を駆動させ、撮像ユニット１０３３に対応する駐車スペースＰを監視させ、且つ駐車スペースＰの第二視角画像情報をキャプチャさせ、第二視角画像情報を管理サーバー１０１に伝送させて保存させる。（図６参照）。
（７）駐車動作を判断するＳ１２。第一パーキングメーター１０２（または第二パーキングメーター１０３）が第一視角画像情報及び第二視角画像情報を取得した後、第一パーキングメーター１０２の処理ユニット１０２２が画像情報（第一視角画像情報及び第二視角画像情報）に対してナンバープレート識別プロセスを実行する。例えば、車両Ｃが駐車スペースＰに進入すると、第一パーキングメーター１０２が第一視角画像情報及び第二視角画像情報から車両情報をそれぞれ識別する。車両情報としてはフロントナンバープレート情報Ｃ１及びリアナンバープレート情報Ｃ２を含む。また、第一パーキングメーター１０２は、フロントナンバープレート情報Ｃ１及びリアナンバープレート情報Ｃ２を管理サーバー１０１に伝送する。管理サーバー１０１の駐車動作判断モジュール１０１２がフロントナンバープレート情報及びリアナンバープレート情報（Ｃ１、Ｃ２）をキャプチャした後に、駐車動作を判断する。例えば、処理モジュール１０１１がフロントナンバープレート情報Ｃ１及びリアナンバープレート情報Ｃ２を取得すると、処理モジュール１０１１が車両Ｃが駐車状態にあると判断し、且つ次の工程が実行される。処理モジュール１０１１がフロントナンバープレート情報Ｃ１またはリアナンバープレート情報Ｃ２のみを取得した場合、処理モジュール１０１１が非駐車状態にあると判断し、且つ処理モジュール１０１１がフロントナンバープレート情報及びリアナンバープレート情報（Ｃ１、Ｃ２）を取得するまで駐車場画像を監視する工程Ｓ１１が継続的に実行される。その後、次の工程が実行される（図６参照）。
（８）駐車時間の計測を開始するＳ１３。駐車動作判断モジュール１０１２が駐車状態にあると判断すると、処理モジュール１０１１が時間計測モジュール１０１３を駆動させて車両Ｃの駐車時間の計測を開始する。処理モジュール１０１１は、駐車リストを生成する。駐車リストには、車両Ｃの駐車時間、ナンバープレート情報、及びユーザー情報が記録される。
（９）駐車時間の計測を停止し、駐車料金を決算するＳ１４。使用者が時間計測停止ボタン１０２５（または時間計測停止ボタン１０３５）をトリガした後、パーキングメーター１０２（またはパーキングメーター１０３）が管理サーバー１０１に対して時間計測停止メッセージを送信し、処理モジュール１０１１が時間計測モジュール１０１３に対して前記ナンバープレート情報に対する時間計測動作を停止するよう命令を出す。且つ、処理モジュール１０１１は、駐車時間に基づいて駐車料金を計算し、駐車料金情報を含む電子請求書を生成し、電子請求書を使用者の携帯情報機器１０４に伝送する。処理モジュール１０１１がデータベース１０１４を検索し、車両Ｃのナンバープレート情報に基づいて対応する携帯情報機器１０４を割り出し、電子請求書を指定された携帯情報機器１０４に伝送する。
（１０）支払い領収書をスキャンするＳ１５。携帯情報機器１０４が電子請求書を受信した後、携帯情報機器１０４が電子請求書に基づいて支払い領収書Ｑを生成する。支払い領収書Ｑは、電子請求書の決済に用いられる。また、支払い領収書Ｑをパーキングメーター１０２のスキャニングユニット１０２４に対応させた後、スキャニングユニット１０２４が支払い領収書Ｑをスキャンすると共に、管理サーバー１０１に伝送する。支払いモジュール１０１６は、支払い領収書Ｑに基づいて支払い端末に対して料金の徴収を実行し、駐車料金の徴収を完了する。使用者が支払い領収書Ｑを駐車スペースのパーキングメーター１０２またはパーキングメーター１０３にスキャンすると、管理サーバー１０１が支払い領収書Ｑを受信する（図７参照）。
【００１４】
図５に示すように、使用者が駐車料金の決済を完了した後、管理サーバー１０１の駐車動作判断モジュール１０１２は、駐車場から発進している時間内に、駐車車両のフロントナンバープレート情報及びリアナンバープレート情報の監視を継続する。例えば、駐車場からの発進する時間が終了した後、駐車動作判断モジュール１０１２は、駐車されていた車両のフロントナンバープレート情報及びリアナンバープレート情報の検知及び識別を行い、時間計測モジュール１０１３が再起動されて駐車時間の計測を開始し、処理モジュール１０１１が新しい電子請求書を再度生成する。こうして使用者が決済後にも駐車スペースを占領するという問題を回避する。
【００１５】
図５に示すように、駐車時間の計測を停止し、駐車料金を決算する工程Ｓ１４において、使用者は、携帯情報機器１０４を使用して時間の計測を停止する。使用者が駐車スペースから発車する場合、使用者は、携帯情報機器１０４を使用して駐車アプリケーションプログラムを実行する。駐車アプリケーションプログラムにより時間計測停止メッセージが生成されると共に、時間計測停止メッセージが管理サーバー１０１に伝送される。処理モジュール１０１１は、時間計測モジュール１０１３に対して駐車時間の計測を停止するように命令を出す。処理モジュール１０１１が駐車時間に基づいて駐車料金を計算し、駐車料金を含む電子請求書を生成し、電子請求書が使用者の携帯情報機器１０４に伝送される。こうして、使用者が車内で操作を実行可能となる。
【００１６】
「駐車時間の計測を停止し、駐車料金を決算する工程Ｓ１４」によると、本発明は、受動的に時間計測停止ボタン１０２５の操作を待ってから、時間計測停止メッセージを管理サーバー１０１に送信するのみならず、パーキングメーター（１０２、１０３）が画像情報を検知させることにより、能動的に時間計測停止メッセージを管理サーバー１０１に送信して操作を停止させる。パーキングメーター１０２（またはパーキングメーター１０３）が画像情報から車両情報の変化を検知した後、駐車場からの発進動作判定条件を満たしているか否か判断する。駐車場からの発進動作判定条件を満たしていない場合、パーキングメーター１０２が能動的に時間計測停止メッセージを管理サーバー１０１に送信し、管理サーバー１０１が電子請求書を生成する。駐車場からの発進動作判定条件が「画像情報から車両情報を再識別していない」と設定されると、例えば、車両Ｃが駐車スペースＰを離れた後にパーキングメーター１０２が画像情報から車両情報を再識別しなかった場合、パーキングメーター１０２が時間計測停止メッセージを送信する。これによりドライバーが時間計測停止ボタン１０２５を操作し忘れた場合や携帯情報機器１０４により時間計測を停止した場合、管理サーバー１０１が駐車時間を正確に確定できなくなる問題を解決する。
【００１７】
図８及び図３を参照すると、パーキングメーター（１０２、１０３）は、処理ユニット１０２２にデータ接続される緊急通報モジュール１０２７を更に備える。緊急通報モジュール１０２７は、通報ボタンと、スピーカーユニットと、マイクロフォンユニットと、を含む。緊急通報モジュール１０２７がトリガされると、緊急通報モジュール１０２７が管理サーバー１０１に対して緊急通報メッセージを送信する。管理サーバー１０１は、緊急通報モジュール１０２７のスピーカーユニット及びマイクロフォンユニットを通して、使用者とリアルタイムチャットが可能である。これにより、使用者の車両に発生する突発的問題を解決することができる。
【００１８】
図９及び図３に示すように、パーキングメーター（１０２、１０３）は、処理ユニット１０２２に電気的に接続される充電ユニット１０２８を更に備える。充電ユニット１０２８は、外に電力を出力させ、車両が電力を使い尽くした状態にある場合、使用者は充電ユニット１０２８を介して電力を取得させると共に、車両のバッテリーに緊急充電が可能になる。
【００１９】
なお、図１０及び図３に示すように、パーキングメーター（１０２、１０３）は、処理ユニット１０２２にデータ接続される位置決めモジュール１０２９を更に備える。位置決めモジュール１０２９は、全地球測位システム（GPS）でもよい。パーキングメーター（１０２、１０３）の装設が完了した後、管理サーバー１０１は、各パーキングメーター（１０２、１０３）の位置に基づいて位置決めの管理を行い、且つ各パーキングメーター（１０２、１０３）の位置情報がデータベース１０１４に保存される。また、データベース１０１４は、各パーキングメーター１０２（またはパーキングメーター１０３）の位置情報に基づいて徴収料金を設定する。処理モジュール１０１１が、各パーキングメーター１０２（またはパーキングメーター１０３）が設置されるエリアの位置に基づいて、対応する駐車料金を徴収する。使用者は、駐車アプリケーションプログラムを使用して管理サーバー１０１に対して代行運転要求メッセージを送信する。管理サーバー１０１は、車両が駐車しているパーキングメーター１０２（またはパーキングメーター１０３）の位置情報を代行運転業者システムに伝送し、代行運転業者システムが位置情報に基づいて代行ドライバーを派遣する。
【００２０】
また、図１１に示すように、各パーキングメーター（１０２、１０３）の他の面には、第二料金管理モジュール（１０２１’、１０３１’）をそれぞれ有し、第一パーキングメーター１０２（または第二パーキングメーター１０３）が隣接する２つの駐車スペース（Ｐ、Ｐ’）を同時に監視する。これにより、単一のパーキングメーター１０２が２つの駐車スペース（Ｐ、Ｐ’）を同時に監視可能となり、パーキングメーター（１０２、１０３）の設置数を減らせる。また、管理サーバー１０１が駐車スペース（Ｐ、Ｐ’）の画像情報を受信した後、更にナンバープレートを識別することにより、駐車スペースＰまたはＰ’に駐車されている車両を区分する。パーキングメーター１０２が２つの駐車スペース（Ｐ、Ｐ’）を同時に監視する状況において、使用者が駐車料金を支払うと、管理サーバー１０１が駐車スペースＰ（または駐車スペースＰ’）の駐車料金を正確に決算できる。
【００２１】
以上により、本発明に係る路上駐車管理システム及びその実施方法は、前述の記載内容の技術手段に基づいて実施された後、路上駐車時間の自動計測及び料金徴収の電子化という目的を確実に達成する。
【００２２】
以上、本発明の実施形態について図面を参照して詳述したが、具体的な構成はこの実施形態に限られるものではなく、本発明の要旨を逸脱しない範囲の設計変更等も含まれる。
【符号の説明】
【００２３】
１０  路上駐車システム
１０１  管理サーバー
１０２  第一パーキングメーター
１０１１  処理モジュール
１０２１  料金管理モジュール
１０１２  第一駐車動作判断モジュール
１０２１’  第二料金管理モジュール
１０１３  時間計測モジュール
１０２２  処理ユニット
１０１４  データベース
１０２３  撮像ユニット
１０１５  画像保存モジュール
１０２４  スキャニングユニット
１０１６  支払いモジュール
１０２５  時間計測停止ボタン
１０２６  ネットワークモジュール
１０２７  緊急通報モジュール
１０２８  充電ユニット
１０２９  位置決めモジュール
１０３  第二パーキングメーター
１０４  携帯情報機器
１０３１  第一料金管理モジュール
１０３１’  第二料金管理モジュール
１０３２  処理ユニット
１０３３  撮像ユニット
１０３４  スキャニングユニット
１０３５  時間計測停止ボタン
１０３６  ネットワークモジュール
Ｓ１  路上駐車管理方法
Ｓ１１  駐車場画像を監視する
Ｓ１２  駐車動作を判断する
Ｓ１３  駐車時間の計測を開始する
Ｓ１４  駐車時間の計測を停止し、駐車料金を決算する
Ｓ１５  支払い領収書をスキャンする
Ｃ  車両
Ｃ１  フロントナンバープレート情報
Ｃ２  リアナンバープレート情報
Ｐ            駐車スペース
Ｐ’            駐車スペース
Ｑ    支払い領収書
【図１】
2020053023.tif 000003
【図２】
2020053023.tif 000004
【図３】
2020053023.tif 000005
【図４】
2020053023.tif 000006
【図５】
2020053023.tif 000007
【図６】
2020053023.tif 000008
【図７】
2020053023.tif 000009
【図８】
2020053023.tif 000010
【図９】
2020053023.tif 000011
【図１０】
2020053023.tif 000012
【図１１】
2020053023.tif 000013